(57)【要約】【課題】品種を増やすことなく作業姿勢に応じた最適な作業面が得られ、且つ収納トレイの角度を保持可能として作業性を向上させる。【解決手段】光ファイバ収納面１７を一面に有し光ファイバ収納面１７に平行な支持軸２３の形成された少なくとも１枚の収納トレイ１３と、支持軸２３を回動可能且つ着脱自在に支持する軸受部３９が形成され収納トレイ１３の光ファイバ収納面１７を表側、裏側のいずれかに変更可能なベース１５と、支持軸２３に直交して形成され円周方向に所定間隔で切欠部２５の形成されたロック板２７と、ベース１５に設けられ切欠部２５に弾接する弾性係止腕４７と、を有する。【選択図】図４
2012088566.tif 000002
【特許請求の範囲】
【請求項１】
光ファイバ収納面を一面に有し該光ファイバ収納面に平行な支持軸の形成された少なくとも１枚の収納トレイと、
前記支持軸を回動可能且つ着脱自在に支持する軸受部が形成され前記収納トレイの前記光ファイバ収納面を表側、裏側のいずれかに変更可能なベースと、
前記支持軸に直交して形成され円周方向に所定間隔で切欠部の形成されたロック板と、
前記ベースに設けられ前記切欠部に弾接する弾性係止腕と、
を有することを特徴とする光ファイバ収納箱。
【請求項２】
請求項１記載の光ファイバ収納箱であって、
前記切欠部は、共通切欠部と、
前記共通切欠部を挟み円周方向に該共通切欠部から等距離の２つの表裏反転用切欠部と、からなることを特徴とする光ファイバ収納箱。
【請求項３】
請求項１又は請求項２記載の光ファイバ収納箱であって、
前記支持軸が、前記収納トレイの厚み方向の中央位置に配設されていることを特徴とする光ファイバ収納箱。
【請求項４】
請求項１〜請求項３のいずれか１項に記載の光ファイバ収納箱であって、
前記ベースは、垂直辺部と水平辺部とを交互に連続して形成した階段状支持部を有し、
前記軸受部が前記垂直辺部に形成され、
前記弾性係止腕が前記水平辺部にスリットを入れて離間させた片持ち梁状の自由先端に前記切欠部に弾接する軸状突起を有して形成されたことを特徴とする光ファイバ収納箱。
【請求項５】
請求項１〜請求項４のいずれか１項に記載の光ファイバ収納箱であって、
前記支持軸と、前記軸受部と、前記ロック板と、前記弾性係止腕と、からなる回動角規制着脱部が前記支持軸の軸線方向に一対設けられていることを特徴とする光ファイバ収納箱。
【発明の詳細な説明】
【技術分野】
【０００１】
本発明は、多心光ケーブルの分岐、引込み、接続等に用いられる光ファイバの余長を収納する光ファイバ収納箱に関する。
【背景技術】
【０００２】
多心の光ケーブルはその各光ファイバを分岐ケーブル、引込ケーブルあるいは他の光ケーブルと接続するためその接続部の余長を収納する必要がある。そのための一つの方法として、多段に層状に積み重ねた棚にそれぞれ引き出しを挿入し、各光ファイバの接続部の余長は引き出しに収めるものである。他の方法は、多数のトレイを層状に積み重ね、これらのそれぞれを軸周りに回転する機構で取り付けるものである（特許文献１参照）。
【０００３】
前者の場合は、接続替え等を行なう時に棚から所定の引き出しを取り出したり収納したりする必要があるので作業時間が長くなるという問題がある。これに対し、後者の場合は、それぞれのトレイが回動により所定の作業面となって露出するので、余長ファイバの収納作業がし易い利点がある。
【先行技術文献】
【特許文献】
【０００４】
【特許文献１】特開２００６−３３０６３０号公報
【発明の概要】
【発明が解決しようとする課題】
【０００５】
しかしながら、上記したそれぞれのトレイが回動により所定の作業面となって露出する従来の光ファイバ接続箱は、余長ファイバの収納作業がし易い利点があるが、作業中トレイの回動位置を保持できないため、作業スペースが確保できず、その点では作業性の低い問題があった。また、同光ファイバ接続箱は、収納トレイの光ファイバ収納面を表側、裏側のいずれかに変更可能で且つ収納トレイを回動可能に支持するが、その表裏いずれの変更時においても回動位置保持できることが望まれた。
【０００６】
本発明は上記状況に鑑みてなされたもので、その目的は、品種を増やすことなく作業姿勢に応じた最適な作業面が得られ、且つ収納トレイの角度を保持可能として作業性を向上させることのできる光ファイバ収納箱を提供することにある。
【課題を解決するための手段】
【０００７】
本発明に係る上記目的は、下記構成により達成される。
（１）  光ファイバ収納面を一面に有し該光ファイバ収納面に平行な支持軸の形成された少なくとも１枚の収納トレイと、前記支持軸を回動可能且つ着脱自在に支持する軸受部が形成され前記収納トレイの前記光ファイバ収納面を表側、裏側のいずれかに変更可能なベースと、前記支持軸に直交して形成され円周方向に所定間隔で切欠部の形成されたロック板と、前記ベースに設けられ前記切欠部に弾接する弾性係止腕と、を有することを特徴とする光ファイバ収納箱。
【０００８】
この光ファイバ収納箱によれば、収納トレイがベースに対して表裏どちら向きでも取り付け可能となり、且つ収納トレイを表裏どちらに取り付けても、任意の角度回転した状態で収納トレイの角度が保持される。
【０００９】
（２）  （１）の光ファイバ収納箱であって、前記切欠部は、共通切欠部と、前記共通切欠部を挟み円周方向に該共通切欠部から等距離の２つの表裏反転用切欠部と、からなることを特徴とする光ファイバ収納箱。
【００１０】
この光ファイバ収納箱によれば、２つの表裏反転用切欠部が共通切欠部から等距離に位置するので、収納トレイを表裏どちらかに反転取り付けしても、収納トレイが同一の角度で保持できる。
【００１１】
（３）  （１）又は（２）の光ファイバ収納箱であって、前記支持軸が、前記収納トレイの厚み方向の中央位置に配設されていることを特徴とする光ファイバ収納箱。
【００１２】
この光ファイバ収納箱によれば、収納トレイを表裏どちらかに反転取り付けしても、軸受部の中心が収納トレイの厚み方向の中央となる。これにより、複数枚の収納トレイを積層する場合、表裏の反転向きで積層厚を最小にできる。
【００１３】
（４）  （１）〜（３）のいずれか１つの光ファイバ収納箱であって、前記ベースは、垂直辺部と水平辺部とを交互に連続して形成した階段状支持部を有し、前記軸受部が前記垂直辺部に形成され、前記弾性係止腕が前記水平辺部にスリットを入れて離間させた片持ち梁状の自由先端に前記切欠部に弾接する軸状突起を有して形成されたことを特徴とする光ファイバ収納箱。
【００１４】
この光ファイバ収納箱によれば、着脱により表裏反転取り付け可能な収納トレイを、任意の角度で保持できる構造（回動角規制着脱部）を、それぞれの軸受部の近傍にコンパクトに形成することができる。
【００１５】
（５）  （１）〜（４）のいずれか１つの光ファイバ収納箱であって、前記支持軸と、前記軸受部と、前記ロック板と、前記弾性係止腕と、からなる回動角規制着脱部が前記支持軸の軸線方向に一対設けられていることを特徴とする光ファイバ収納箱。
【００１６】
この光ファイバ収納箱によれば、収納トレイが支持軸の軸線方向に設けられる一対の回動角規制着脱部によって、着脱自在に且つ所定の回動角度で保持可能となるので、収納トレイを支持軸の軸線回りに傾斜や振れなく円滑に回動支持できる。
【発明の効果】
【００１７】
本発明に係る光ファイバ収納箱によれば、クロージャの品種を増やすことなく、作業姿勢に応じた最適な作業面が得られ、且つ回動角規制着脱部により収納トレイの角度を保持でき作業性が向上する。
【図面の簡単な説明】
【００１８】
【図１】本発明に係る光ファイバ収納箱のベース下方より見上げた斜視図である。
【図２】（ａ）は収納トレイを前方斜め上から見た斜視図、（ｂ）はその後方斜め上から見た斜視図、（ｃ）はその側面図である。
【図３】（ａ）はベースの側面図、（ｂ）はその前方斜め上方から見た斜視図である。
【図４】光ファイバ収納面下向き装着時の直立側トレイ軸受部の斜視図である。
【図５】図１の要部拡大図である。
【図６】収納トレイの表裏取り付け向き及び回転角変更向きの例を表したリバーシブル構造説明図である。
【図７】光ファイバ収納面下向き装着時の開放状態におけるトレイ軸受部の斜視図である。
【図８】光ファイバ収納面上向き装着時の直立側トレイ軸受部の斜視図である。
【図９】光ファイバ収納面上向き装着時の開放状態におけるトレイ軸受部の斜視図である。
【発明を実施するための形態】
【００１９】
以下、本発明の実施の形態を図面を参照して説明する。
図１は本発明に係る光ファイバ収納箱のベース下方より見上げた斜視図、図２（ａ）は収納トレイを前方斜め上から見た斜視図、（ｂ）はその後方斜め上から見た斜視図、（ｃ）はその側面図である。
本実施の形態に係る光ファイバ収納箱１１は、不図示のクロージャ等に収容される。光ファイバ収納箱１１は、収納トレイ１３と、ベース１５と、により大別構成される。
【００２０】
光ファイバ収納箱１１は、収納トレイ１３をベース１５に少なくとも１枚装着すれば構成できるが、本実施の形態のように複数枚（図例では４枚）を装着することが好ましい。収納トレイ１３は、ポリプロピレンあるいはアクリロニトリル・ブタジエン・スチレンの共重合体（ＡＢＳ樹脂）等によって一体に成形され、光ファイバ収納面１７を一面に有する。収納トレイ１３には所定曲率半径を確保して光ファイバ心線を取り回して収納ができ、各種の接続部例えば、融着補強スリーブ、メカニカルスプライスなどが収納可能であって、多段に積層され、各収納トレイ単位で開閉可能となって、心線余長と心線接続部が一括収納される。
【００２１】
収納トレイ１３は、前側で隣接する２つの角部１９が弧状に形成された矩形箱として形成される。収納トレイ１３の後板背面部２１には、光ファイバ収納面１７に平行な支持軸２３が形成されている。支持軸２３には、この支持軸２３に直交して形成され円周方向に所定間隔で切欠部２５の形成されたロック板２７が一体形成される。本実施の形態では、所定間隔が９０°の角度に設定される。図２（ｃ）に示すように、支持軸２３は、収納トレイ１３の厚みｔ方向の中央位置に配設されている。
【００２２】
切欠部２５は、共通切欠部２９と、共通切欠部２９を挟み円周方向に共通切欠部２９から等距離の２つの表裏反転用切欠部３１と、からなる。それぞれの切欠部２５は、半円状の凹部として同一形状で形成される。後述するように、支持軸２３は一対設けられる。ロック板２７は、図２（ｂ）に示すように、それぞれの支持軸２３の外側に設けられている。
【００２３】
図３（ａ）はベース１５の側面図、（ｂ）はその前方斜め上方から見た斜視図、図４は光ファイバ収納面下向き装着時の直立側トレイ軸受部の斜視図、図５は図１の要部拡大図である。
図３に示すように、ベース１５は、平行な一対の側板部３３が底板部３５と、背板部３７とによって接続され、上部が開口して形成される。側板部３３には、上記の支持軸２３を回動可能且つ着脱自在に支持する軸受部３９が形成される。ベース１５の側板部３３は、垂直辺部４１と水平辺部４３とを交互に連続して形成した階段状支持部４５を有している。ベース１５は、一対の側板部３３に階段状支持部４５を有することで、一対の支持軸２３の設けられた収納トレイ１３を、表側、裏側のいずれかに変更可能にして装着できるようになっている。
【００２４】
軸受部３９は、階段状支持部４５の垂直辺部４１に形成される。軸受部３９は、拡開可能なＣ字形状に形成され、弾性変形可能とすることによって、図４に示すように、支持軸２３を着脱自在に保持している。
【００２５】
弾性係止腕４７は、階段状支持部４５の水平辺部４３にスリット４９を入れて離間させた片持ち梁状となって形成される。この弾性係止腕４７の自由先端５１には、上記のロック板２７の切欠部２５に弾接する軸状突起５３が形成されている。
【００２６】
光ファイバ収納箱１１では、図４に示すように、軸受部３９に支持された支持軸２３のロック板２７に、弾性係止腕４７の軸状突起５３が弾性力によって解除可能に付勢されて係合（弾接）し、収納トレイ１３の回転角度が９０°ごとに規制されるようになっている。これにより、図５に示すように、共通切欠部２９又は表裏反転用切欠部３１に軸状突起５３が弾接することで、収納トレイ１３が水平姿勢と垂直姿勢とに選択的に保持できるようになっている。なお、本実施の形態では、３つの切欠部２５を９０°の角度で形成したが、切欠部２５の数や角度はこれに限定されるものではない。
【００２７】
支持軸２３と、軸受部３９と、ロック板２７と、弾性係止腕４７と、は回動角規制着脱部５５を構成している。この回動角規制着脱部５５は、支持軸２３の軸線方向に一対設けられている。収納トレイ１３が支持軸２３の軸線方向に設けられる一対の回動角規制着脱部５５によって、着脱自在に且つ所定の回動角度で保持可能となり、収納トレイ１３を支持軸２３の軸線回りに傾斜や振れなく円滑に回動支持できるようになされている。
【００２８】
次に、上記構成を有する光ファイバ収納箱１１の作用を説明する。
図６は収納トレイ１３の表裏取り付け向き及び回転角変更向きの例を表したリバーシブル構造説明図、図７は光ファイバ収納面下向き装着時の開放状態におけるトレイ軸受部の斜視図、図８は光ファイバ収納面上向き装着時の直立側トレイ軸受部の斜視図、図９は光ファイバ収納面上向き装着時の開放状態におけるトレイ軸受部の斜視図である。
光ファイバ収納箱１１は、収納トレイ１３の装着向きによって、図６の上段側に示した収納面下向き装着時（ａ）（ｂ）と、図６の下段側に示した収納面上向き装着時（ｃ）（ｄ）とに分けられる。
【００２９】
図６（ａ）に示す収納面下向き装着の垂直ロック時では、図４に示すように、共通切欠部２９に軸状突起５３が弾接する。図６（ｂ）に示す開放ロック時では、図７に示すように、図示の下方側に位置する収納トレイ１３の表裏反転用切欠部３１が軸状突起５３に弾接する。一方、図６（ｃ）に示すように、収納面上向き装着の垂直ロック時では、図８に示すように、共通切欠部２９に軸状突起５３が弾接する。図６（ｄ）に示す開放ロック時では、図９に示すように、表裏反転用切欠部３１が軸状突起５３に弾接する。それぞれの収納面向きで装着された収納トレイ１３は、水平姿勢、又は垂直姿勢で、ロック板２７に軸状突起５３が係止して保持される。
【００３０】
このように、光ファイバ収納箱１１では、収納トレイ１３がベース１５に対して表裏どちら向きでも取り付け可能となり、且つ収納トレイ１３を表裏どちらに取り付けても、９０°回転した状態で収納トレイ１３の角度が保持される。２つの表裏反転用切欠部３１が共通切欠部２９から等距離に位置するので、収納トレイ１３を表裏どちらかに反転取り付けしても、収納トレイ１３が同一の角度で保持できる。
【００３１】
また、収納トレイ１３を表裏どちらかに反転取り付けしても、軸受部３９の中心が収納トレイ１３の厚み方向の中央となる。これにより、複数枚の収納トレイ１３を積層する場合、表裏の反転向きで積層厚を最小にできる。さらに、一対の回動角規制着脱部５５を設けたので、収納トレイ１３を支持軸２３の軸線回りに傾斜や振れなく円滑に回動支持できる。
【００３２】
したがって、本実施の形態に係る光ファイバ収納箱１１によれば、クロージャの品種を増やすことなく、作業姿勢に応じた最適な作業面が得られ、且つ回動角規制着脱部５５により収納トレイ１３の角度を所定角に保持でき作業性が向上する。
【符号の説明】
【００３３】
１１  光ファイバ収納箱
１３  収納トレイ
１５  ベース
１７  光ファイバ収納面
２３  支持軸
２５  切欠部
２７  ロック板
２９  共通切欠部
３１  表裏反転用切欠部
３９  軸受部
４１  垂直辺部
４３  水平辺部
４５  階段状支持部
４７  弾性係止腕
４９  スリット
５１  自由先端
５３  軸状突起
５５  回動角規制着脱部
【図１】
2012088566.tif 000003
【図２】
2012088566.tif 000004
【図３】
2012088566.tif 000005
【図４】
2012088566.tif 000006
【図５】
2012088566.tif 000007
【図６】
2012088566.tif 000008
【図７】
2012088566.tif 000009
【図８】
2012088566.tif 000010
【図９】
2012088566.tif 000011